(57)【特許請求の範囲】
【請求項１】
ハイブリッド車両の駆動モータを冷却するための油圧を発生させる電気オイルポンプと、
該電気オイルポンプで発生した油圧を前記駆動モータに選択的に伝達するスイッチングバルブと、
選択的に該スイッチングバルブに制御圧を供給して、該スイッチングバルブ内の油路を切り換えるソレノイドバルブと、
前記駆動モータの温度及び温度変化率により、前記電気オイルポンプと前記スイッチングバルブの作動を制御する制御部と、を有し、
前記駆動モータを冷却する作動領域を、前記駆動モータの温度変化率が第１設定値以上である最大冷却領域、前記駆動モータの温度変化率が前記第１設定値未満で、該第１設定値よりも小さな第２設定値以上であり、前記駆動モータの温度が基準温度以上である中間冷却領域、前記駆動モータの温度変化率が前記第２設定値未満で、該第２設定値よりも小さな第３設定値以上であり、前記駆動モータの温度が前記基準温度以上である最低冷却領域、及び前記最大冷却領域、前記中間冷却領域、前記最低冷却領域以外の冷却が必要でない領域に分けて制御する冷却装置であり、
前記制御部は、前記駆動モータを冷却する作動領域に応じて前記電気オイルポンプを、第１作動量、該第１作動量よりも小さな第２作動量、及び該第２作動量よりも小さな第３作動量で作動させるかまたは停止させ、前記ソレノイドバルブをオンするかまたはオフすることを特徴とするハイブリッド車両用駆動モータを冷却する冷却装置。
【請求項２】
前記制御部は、前記駆動モータの温度変化率が前記第１設定値以上である場合、前記電気オイルポンプを前記第１作動量で作動させ、前記ソレノイドバルブをオンすることを特徴とする請求項１に記載のハイブリッド車両用駆動モータを冷却する冷却装置。
【請求項３】
前記制御部は、前記駆動モータの温度変化率が、前記第２設定値以上であり、前記第１設定値未満であり、前記駆動モータの温度が前記基準温度以上である場合、前記電気オイルポンプを前記第２作動量で作動させ、前記ソレノイドバルブをオンすることを特徴とする請求項１に記載のハイブリッド車両用駆動モータを冷却する冷却装置。
【請求項４】
前記制御部は、前記駆動モータの温度変化率が、前記第３設定値以上であり、前記第２設定値未満であり、前記駆動モータの温度が前記基準温度以上である場合、前記電気オイルポンプを前記第３作動量で作動させ、前記ソレノイドバルブをオンすることを特徴とする請求項１に記載のハイブリッド車両用駆動モータを冷却する冷却装置。
【請求項５】
前記制御部は、前記駆動モータの温度変化率が前記第３設定値未満であるか、または前記駆動モータの温度変化率が、前記第３設定値以上であり、前記第１設定値未満であり、前記駆動モータの温度が前記基準温度未満である場合、前記電気オイルポンプをオフし、前記ソレノイドバルブをオフすることを特徴とする請求項１に記載のハイブリッド車両用駆動モータを冷却する冷却装置。
【請求項６】
電気オイルポンプでオイルを発生させ、発生したオイルをソレノイドバルブの制御により駆動モータに送って該駆動モータを冷却する装置であり、
前記駆動モータを冷却する作動領域を、前記駆動モータの温度変化率が第１設定値以上である最大冷却領域、前記駆動モータの温度変化率が前記第１設定値未満で、該第１設定値よりも小さな第２設定値以上であり、前記駆動モータの温度が基準温度以上である中間冷却領域、前記駆動モータの温度変化率が前記第２設定値未満で、該第２設定値よりも小さな第３設定値以上であり、前記駆動モータの温度が前記基準温度以上である最低冷却領域、及び前記最大冷却領域、前記中間冷却領域、前記最低冷却領域以外の冷却が必要でない領域に分けて制御するハイブリッド車両用駆動モータを冷却する装置であり、
前記駆動モータが作動するか否かを判断する段階と、
前記駆動モータが作動中である場合、該駆動モータの温度を測定する段階と、
前記駆動モータの温度に基づいて該駆動モータの温度変化率を計算する段階と、
前記駆動モータの温度変化率が前記第１設定値以上であるか否かを判断する段階と、
前記駆動モータの温度変化率が前記第１設定値以上であれば、前記電気オイルポンプを第１作動量で作動させ、前記ソレノイドバルブをオンする段階と
を含むことを特徴とする駆動モータを冷却する冷却装置を制御する方法。
【請求項７】
前記駆動モータの温度変化率が前記第１設定値未満であれば、前記方法は、
前記駆動モータの温度が基準温度以上であるか否かを判断する段階と、
前記駆動モータの温度が前記基準温度以上である場合、該駆動モータの温度変化率が前記第２設定値以上であるか否かを判断する段階と、
前記駆動モータの温度変化率が前記第２設定値以上である場合、前記電気オイルポンプを前記第１作動量よりも小さな第２作動量で作動させ、前記ソレノイドバルブをオンする段階と、
をさらに含むことを特徴とする請求項６に記載の駆動モータを冷却する冷却装置を制御する方法。
【請求項８】
前記駆動モータの温度が基準温度未満である場合、前記電気オイルポンプをオフし、前記ソレノイドバルブもオフすることを特徴とする請求項７に記載の駆動モータを冷却する冷却装置を制御する方法。
【請求項９】
前記駆動モータの温度変化率が前記第２設定値未満である場合、前記方法は、
前記駆動モータの温度変化率が前記第３設定値以上であるか否かを判断する段階と、
前記駆動モータの温度変化率が前記第３設定値以上である場合、前記電気オイルポンプを前記第２作動量よりも小さな第３作動量で作動させ、前記ソレノイドバルブをオンする段階と、
をさらに含むことを特徴とする請求項７に記載の駆動モータを冷却する冷却装置を制御する方法。
【請求項１０】
前記駆動モータの温度変化率が前記第３設定値未満である場合、前記電気オイルポンプをオフし、前記ソレノイドバルブもオフすることを特徴とする請求項９に記載の駆動モータを冷却する冷却装置を制御する方法。
【発明の詳細な説明】
【技術分野】
【０００１】
本発明は、ハイブリッド車両用駆動モータを冷却する冷却装置及びこれを制御する方法に係り、より詳しくは、駆動モータの温度及び温度変化率により適切な流量の冷却オイルを供給するようにするハイブリッド車両用駆動モータを冷却する冷却装置及びこれを制御する方法に関する。
【背景技術】
【０００２】
一般に、ハイブリッド車両は、エンジン及び駆動モータを動力源として使用する車両をいう。
ハイブリッド車両に使用される駆動モータが駆動される場合、多くの熱が発生する。発生した熱は、車両内の温度に敏感な電気装置に損傷を与えるだけでなく、駆動モータの効率をも悪化させる。このため、駆動モータの温度を管理するために、適切な流量の冷却オイルを供給しなければならない。
【０００３】
従来技術によれば、ハイブリッド車両の冷却装置は、駆動モータにオイルを供給する油路がレギュレーティングバルブの下流に形成されるため、エンジン回転数が増加してオイルポンプから吐出されるオイルの量が増加しても、ライン圧を維持するようにレギュレーティングバルブがオイルの量を調節する。したがって、駆動モータにオイルを供給する油路に供給されるオイルの流量は常に一定である（例えば、特許文献１参照）。
【０００４】
また、従来のハイブリッド車両の冷却装置において、駆動モータに供給するオイルの量を増加させるためには、別途の電気オイルポンプを備える方法がとられているが、電気オイルポンプが駆動する領域は限定されていた（例えば、特許文献２参照）。即ち、車両の初期始動時、または電気自動車モード（即ち、モータだけ駆動されるモード）走行においてのみ電気オイルポンプが作動した。したがって、駆動モータの温度と無関係に電気オイルポンプが作動する問題点があった。
【先行技術文献】
【特許文献】
【０００５】
【特許文献１】特開２００２−１３５９０７号公報
【特許文献２】特開２０１０−１９５３１３号公報
【発明の概要】
【発明が解決しようとする課題】
【０００６】
本発明は、このような問題点を解決するためになされたものであって、その目的とするところは、駆動モータの温度及び温度変化率により適切な流量の冷却オイルを駆動モータに供給するハイブリッド車両用駆動モータを冷却する冷却装置及びこれを制御する方法を提供することにある。
【課題を解決するための手段】
【０００７】
上記目的を達成するためになされた本発明のハイブリッド車両用駆動モータを冷却する冷却装置は、ハイブリッド車両の駆動モータを冷却するための油圧を発生させる電気オイルポンプと、電気オイルポンプで発生した油圧を駆動モータに選択的に伝達するスイッチングバルブと、選択的にスイッチングバルブに制御圧を供給して、スイッチングバルブ内の油路を切り換えるソレノイドバルブと、電気オイルポンプとスイッチングバルブの作動を制御する制御部とを含み、制御部は、駆動モータの温度及び駆動モータの温度変化率により電気オイルポンプを第１、２、３作動量で作動させるかまたは停止させ、ソレノイドバルブをオンするかまたはオフすることを特徴とする。
【０００８】
制御部は、駆動モータの温度変化率が第１設定値以上である場合、電気オイルポンプを第１作動量で作動させ、ソレノイドバルブをオンすることが好ましい。
駆動モータの温度変化率が、第２設定値以上であり、第１設定値未満であり、駆動モータの温度が基準温度以上である場合、電気オイルポンプを第２作動量で作動させ、ソレノイドバルブをオンすることが好ましい。
駆動モータの温度変化率が、第３設定値以上であり、第２設定値未満であり、駆動モータの温度が基準温度以上である場合、電気オイルポンプを第３作動量で作動させ、ソレノイドバルブをオンすることが好ましい。
駆動モータの温度変化率が、第３設定値未満であるか、または駆動モータの温度変化率が、第３設定値以上であり、第１設定値未満であり、駆動モータの温度が基準温度未満である場合、電気オイルポンプをオフし、ソレノイドバルブをオフすることが好ましい。
【０００９】
本発明の他の実施例による駆動モータを冷却する冷却装置を制御する方法は、駆動モータが作動するか否かを判断する段階と、駆動モータが作動中である場合、駆動モータの温度を測定する段階と、駆動モータの温度に基づいて駆動モータの温度変化率を計算する段階と、駆動モータの温度変化率が第１設定値以上であるか否かを判断する段階と、駆動モータの温度変化率が第１設定値以上であれば、電気オイルポンプを第１作動量で作動させ、ソレノイドバルブをオンする段階とを含むことができる。
駆動モータの温度変化率が第１設定値未満であれば、上記の方法は、駆動モータの温度が基準温度以上であるか否かを判断する段階と、駆動モータの温度が基準温度以上である場合、駆動モータの温度変化率が第２設定値以上であるか否かを判断する段階と、駆動モータの温度変化率が第２設定値以上である場合、電気オイルポンプを第２作動量で作動させ、ソレノイドバルブをオンする段階とをさらに含むことができる。
駆動モータの温度が基準温度未満である場合、電気オイルポンプをオフし、ソレノイドバルブもオフすることが好ましい。
【００１０】
駆動モータの温度変化率が第２設定値未満である場合、上記の方法は、駆動モータの温度変化率が第３設定値以上であるか否かを判断する段階と、駆動モータの温度変化率が第３設定値以上である場合、電気オイルポンプを第３作動量で作動させ、ソレノイドバルブをオンする段階とをさらに含むことができる。
駆動モータの温度変化率が第３設定値未満である場合、電気オイルポンプをオフし、ソレノイドバルブもオフすることが好ましい。
【発明の効果】
【００１１】
本発明によれば、駆動モータの温度及び温度変化率により駆動モータの作動領域を定義し、各作動領域で必要な流量の冷却オイルを供給することにより、駆動モータの温度上昇を防止することができる。
また、駆動モータの効率及び耐久性を向上させることができる。
【図面の簡単な説明】
【００１２】
【図１】本発明の実施例によるハイブリッド車両用駆動モータを冷却する冷却装置の休止時の回路図である。
【図２】本発明の実施例によるハイブリッド車両用駆動モータを冷却する冷却装置の作動時の回路図である。
【図３】本発明の実施例によるハイブリッド車両用駆動モータを冷却する冷却装置のブロック図である。
【図４】本発明の実施例による駆動モータを冷却する冷却装置を制御する方法のフローチャートである。
【図５】本発明の実施例による駆動モータを冷却する冷却装置を制御する方法のフローチャートである。
【図６】本発明の実施例による駆動モータを冷却する冷却装置の作動領域を示したグラフである。
【発明を実施するための形態】
【００１３】
以下、本発明の好ましい実施例について、添付した図面に基づいて詳細に説明する。
図１及び図２は、本発明の実施例によるハイブリッド車両用駆動モータを冷却する冷却装置の回路図であり、図１は、冷却装置が作動しない場合の回路図であり、図２は、冷却装置が作動する場合の回路図である。
【００１４】
図１及び図２に示したとおり、本発明の実施例によるハイブリッド車両用駆動モータを冷却する冷却装置は、オイルファン１０、オイルポンプ２０、電気オイルポンプ３０、ソレノイドバルブ４０、モータ５０、及びスイッチングバルブ６０を含む。
オイルファン１０は、冷却オイルが保存されており、冷却装置にオイルを供給する。オイルファン１０の出口にはオイルフィルタ１２が装着されて、オイルに混ざっている水分及び異物をろ過する。
オイルポンプ２０は、オイルファン１０から供給されたオイルを加圧して、変速機またはエンジンに供給する。オイルポンプ２０の下流の油路にはレギュレーティングバルブが装着されて、オイルポンプ２０で発生した油圧をライン圧に調節する。
【００１５】
電気オイルポンプ３０はオイルポンプ２０と並列に配置されている。即ち、電気オイルポンプ３０はオイルポンプ２０の作動によって直接的な影響を受けない。電気オイルポンプ３０は、オイルファン１０から供給されたオイルを加圧して、スイッチングバルブ６０に供給する。
ソレノイドバルブ４０は電気を受けて作動し、スイッチングバルブ６０を制御する。ソレノイドバルブ４０は、油圧発生手段（図示せず）から油圧の供給を受ける入口ポート４２と、入口ポート４２に供給されたオイルを選択的にスイッチングバルブ６０に制御圧として供給する出口ポート４４とを含む。したがって、ソレノイドバルブ４０が作動する場合には、入口ポート４２を通じて供給された油圧を、出口ポート４４を通じてスイッチングバルブ６０に供給する。
【００１６】
モータ５０は、電気オイルポンプ３０を作動させる。即ち、モータ５０に電流が印加されれば、モータ５０が作動し、電気オイルポンプ３０を作動させる。
スイッチングバルブ６０は、電気オイルポンプ３０で発生した油圧を駆動モータに選択的に供給する。このような目的のために、スイッチングバルブ６０は、バルブボディーと、バルブボディーの内部で往復運動して油路を切り換えるバルブスプール６２とを含む。また、バルブスプール６２とバルブボディーの一端の間には弾性部材６４が介装されて、バルブスプール６２に復原力を提供する。
【００１７】
バルブボディーは、ソレノイドバルブ４０から制御圧の供給を受ける第１ポート７２、電気オイルポンプ３０から油圧の供給を受ける第２ポート７４、第２ポート７４と選択的に連結されて、第２ポート７４の油圧を選択的に駆動モータに供給する第３ポート７６、及び第２ポート７４と選択的に連結され、オイルポンプ２０の後端の油路と連結される第４ポート７８を含む。オイルポンプ２０の後端の油路と第４ポート７８の間にはチェックバルブが備えられている。したがって、第４ポート７８の油圧はオイルポンプ２０の後端の油路に供給されるが、オイルポンプ２０の油圧は第４ポート７８に供給できないようになっている。
【００１８】
図１に示したように、冷却装置が作動しなければ、電気オイルポンプ３０が作動せず、ソレノイドバルブ４０がオフになっている。したがって、電気オイルポンプ３０は油圧を発生させることがなく、駆動モータには油圧が供給されない。
図２に示したように、冷却装置が作動すれば、電気オイルポンプ３０が作動し、ソレノイドバルブ４０がオンになる。したがって、電気オイルポンプ３０は油圧を発生させ、発生した油圧をスイッチングバルブ６０の第２ポート７４に供給する。また、ソレノイドバルブ４０はスイッチングバルブ６０の第１ポート７２に制御圧を供給する。この場合、第１ポート７２の制御圧は、弾性部材６４の弾性力に打勝って、バルブスプール６２を図面において右側に押すようになる。したがって、第２ポート７４と第３ポート７６が連通し、電気オイルポンプ３０の油圧が駆動モータに供給されるようになる。
【００１９】
図３は、本発明の実施例によるハイブリッド車両用駆動モータを冷却する冷却装置のブロック図である。
図３に示したように、本発明の実施例による冷却装置は、温度センサー８２及び制御部８０をさらに含む。
温度センサー８２は、駆動モータの温度を測定して、これに対する信号を制御部８０に伝達する。
制御部８０は、駆動モータの温度変化を経過時間により分けて駆動モータの温度変化率を計算する。また、制御部８０は、駆動モータの温度及び温度変化率に基づいて、ソレノイドバルブ４０及びモータ５０（即ち、電気オイルポンプ３０）の作動を制御する。
【００２０】
このような制御部８０の作動については、図４及び図５を参照してさらに詳細に説明する。
図４及び図５は、本発明の実施例による駆動モータを冷却する冷却装置を制御する方法のフローチャートである。
図４に示したとおり、車両が走行中である状態で（Ｓ１００）、制御部８０は駆動モータが作動するか否かを判断する（Ｓ１１０）。
Ｓ１１０段階で駆動モータが作動中であれば、制御部８０は温度センサー８２を通じて駆動モータの温度を測定する（Ｓ１２０）。駆動モータの温度測定は、設定された周期によって反復的に行われる。
【００２１】
その後、制御部８０は、反復的に測定された駆動モータの温度から駆動モータの温度変化率を計算する（Ｓ１３０）。即ち、制御部８０は、前の駆動モータの温度から現在の駆動モータの温度を引いた値を経過時間で割る。
その後、制御部８０は、現在冷却装置が作動している作動領域を判断し、各作動領域で必要な電気オイルポンプ３０の作動量を計算する。
【００２２】
冷却装置の作動領域については、図６を参照して説明する。
図６は、本発明の実施例による駆動モータを冷却する冷却装置の作動領域を示したグラフである。図中、線α、β、γは、その傾きが駆動モータの温度変化率であり、それぞれ第１、第２、第３設定値を示す。
図６に示すとおり、冷却装置の作動領域は４個の領域に分かれている。４個の領域は、それぞれ、最大冷却領域、中間冷却領域、最低冷却領域、及び冷却が必要でない領域である。最大冷却領域は、駆動モータの温度変化率が最も大きい区間であり、中間冷却領域は、駆動モータの温度変化率が大きくて、駆動モータの温度が基準温度以上である区間であり、最低冷却領域は、駆動モータの温度変化率が小さくて、駆動モータの温度が基準温度以上である区間である。冷却が必要でない領域は、最大冷却領域、中間冷却領域、最低冷却領域以外の領域である。
【００２３】
冷却領域と作動量を判断するために、制御部８０は駆動モータの温度変化率が第１設定値以上であるか否かを判断する（Ｓ１４０）。
Ｓ１４０段階で駆動モータの温度変化率が第１設定値以上であれば、制御部８０は電気オイルポンプ３０を第１作動量で作動させ（Ｓ１５０）、ソレノイドバルブ４０をオンする（Ｓ１６０）。
しかし、Ｓ１４０段階で駆動モータの温度変化率が第１設定値未満であれば、制御部５０は駆動モータの温度が基準温度以上であるか否かを判断する（Ｓ１７０）。
Ｓ１７０段階で駆動モータの温度が基準温度以上であれば、制御部８０は、駆動モータの温度変化率が、第２設定値以上であり、第１設定値未満であるのかを判断する（Ｓ１８０）。第２設定値は第１設定値よりは低い。
【００２４】
Ｓ１８０段階で駆動モータの温度変化率が、第２設定値以上であり、第１設定値未満であれば、制御部８０は電気オイルポンプ３０を第２作動量で作動させ（Ｓ１９０）、Ｓ１６０段階に進行する。第２作動量は第１作動量よりは小さい。
Ｓ１８０段階で駆動モータの温度変化率が第２設定値未満であれば、制御部８０は、駆動モータの温度変化率が、第３設定値以上であり、第２設定値未満であるのかを判断する（Ｓ２００）。第３設定値は第２設定値よりは低い。
【００２５】
Ｓ２００段階で駆動モータの温度変化率が、第３設定値以上であり、第２設定値未満であれば、制御部８０は電気オイルポンプ３０を第３作動量で作動させ（Ｓ２１０）、Ｓ１６０段階に進行する。第３作動量は第２作動量よりは小さい。
Ｓ１１０段階で駆動モータが作動しないか、またはＳ１７０段階で駆動モータの温度が基準温度未満であるか、またはＳ２００段階で駆動モータの温度変化率が第３設定値未満であれば、制御部８０はソレノイドバルブをオフし（Ｓ２２０）、電気オイルポンプを作動させない（Ｓ２３０）。
一方、第１、２、３作動量は、設計者が本発明の目的に適合するように設定することができる。また、第１、２、３作動量は、駆動モータの温度または駆動モータの温度変化率により可変する値と設定することも可能である。
【００２６】
上述のように、本発明によれば、駆動モータの温度及び温度変化率により駆動モータの作動領域を定義し、各作動領域で必要な冷却流量を供給することによって、駆動モータの温度上昇を防止することができる。
また、駆動モータの効率及び耐久性を向上させることができる。
【００２７】
以上、本発明に関する好ましい実施例を説明したが、本発明は上記実施例に限定されるものではなく、本発明の技術的範囲内で多様な形態への変更実施が可能である。
【符号の説明】
【００２８】
１０  オイルファン
１２  オイルフィルタ
２０  オイルポンプ
３０  電気オイルポンプ
４０  ソレノイドバルブ
４２  入口ポート
４４  出口ポート
５０  モータ
６０  スイッチングバルブ
６２  バルブスプール
６４  弾性部材
７２  第１ポート
７４  第２ポート
７６  第３ポート
７８  第４ポート
８０  制御部
８２  温度センサー
【図１】
0005719219.tif 000002
【図２】
0005719219.tif 000003
【図３】
0005719219.tif 000004
【図４】
0005719219.tif 000005
【図５】
0005719219.tif 000006
【図６】
0005719219.tif 000007